(57)【要約】【課題】反射防止塗料の塗布部位が複雑なレンズであっても反射防止塗料を精度よく連続的に効率よく塗布する。【解決手段】レンズ１０を回転駆動する回転台２１０と、反射防止塗料の塗料槽２００と、塗料槽に浸漬される塗料含浸部材１１０と、塗料浸漬部材の微小位置調整をするマイクロメーターヘッド部１３０と、余剰な反射防止塗料が拭い去られる接触部材１９０と、塗料含浸部材を保持する保持部材１２０と、保持部材を移動させる単軸ロボット１４０と、単軸ロボット１４０を制御して、塗料含浸部材を、塗料槽に浸漬する動作、接触部材に接触させる動作、レンズの塗布面に沿って移動させる動作を順次実行させるコントローラ１５０と、複数の塗布パターンデータを格納する塗布パターンデータベース１６０と、塗布パターンデータを修正する入力手段１７０を備える。【選択図】図１
2017154077.tif 000002
【特許請求の範囲】
【請求項１】
反射防止塗料を塗布すべきレンズが芯出しされて配置され、前記レンズを回転駆動する回転台と、
前記反射防止塗料が溜められている塗料槽と、
前記塗料槽に溜められた前記反射防止塗料に浸漬され前記反射防止塗料が含浸される塗料含浸部材と、
前記塗料含浸部材が接触して、余剰な前記反射防止塗料が前記塗料含浸部材から拭い去られる接触部材と、
前記塗料含浸部材を保持する保持部材と、
前記保持部材を移動させる移動手段と、
前記移動手段を制御して、前記保持部材を駆動し、前記塗料含浸部材を前記塗料槽に浸漬する動作、前記塗料含浸部材を前記接触部材に接触させる動作、及び前記塗料含浸部材を前記レンズの塗布面に沿って移動させる動作を順次実行させる制御手段と、を備えることを特徴とする反射防止塗料の塗布装置。
【請求項２】
前記反射防止塗料を塗布すべき前記レンズの種別に前記反射防止塗料の塗布面の塗布パターンデータを複数格納した、塗布パターンデータ格納手段と、
前記塗布パターンデータにおける特定位置を修正するポジション修正手段と、
を備えることを特徴とする請求項１に記載の反射防止塗料の塗布装置。
【請求項３】
前記保持部材は、前記塗料含浸部材の位置を上下及び前記レンズの直径方向に微調整できるマイクロメーターヘッドを備えることを特徴とする請求項１又は請求項２に記載の反射防止塗料の塗布装置。
【請求項４】
反射防止塗料を塗布すべきレンズが芯出しされて配置され、前記レンズを回転駆動する回転台と、前記反射防止塗料が溜められている塗料槽と、前記塗料槽に溜められた前記反射防止塗料に浸漬され前記反射防止塗料が含浸される塗料含浸部材と、前記塗料含浸部材が接触して、余剰な前記反射防止塗料が前記塗料含浸部材から拭い去られる接触部材と、前記塗料含浸部材を保持する保持部材と、前記保持部材を移動させる移動手段と、備える装置を使用した反射防止塗料の塗布方法であって、
前記保持部材を駆動し、前記塗料含浸部材を前記塗料槽に浸漬するステップと、
前記塗料含浸部材を前記接触部材に接触させるステップと、
前記塗料含浸部材を前記レンズの塗布面に沿って移動させるステップと、を備えることを特徴とする反射防止塗料の塗布方法。
【請求項５】
前記反射防止塗料を塗布すべき前記レンズの種別に複数格納された前記反射防止塗料の塗布面の塗布パターンデータから所定の塗布パターンデータを取得するステップと、
取得した前記塗布パターンデータにおける特定位置のポジション修正をするステップと、を備えることを特徴とする請求項４に記載の反射防止塗料の塗布方法。
【請求項６】
前記塗料含浸部材の位置を上下及び前記レンズの直径方向に微調整するステップを備えることを特徴とする請求項４又は請求項５に記載の反射防止塗料の塗布方法。
【発明の詳細な説明】
【技術分野】
【０００１】
本発明は、レンズの周面等に反射防止塗料を塗布する反射防止塗料の塗布装置及び反射防止塗料の塗布方法に関する。
【背景技術】
【０００２】
レンズの周面等に反射防止塗料が塗布される。この反射塗料の塗布は、墨入れと称され、レンズの周り(側面)等を黒く塗り、内面反射を防止してレンズの光学性能を高める。このように反射防止塗料をレンズに塗布する装置が特許文献１に開示されている。
【０００３】
特許文献１には、光学素子を保持する保持手段と、光学素子に塗布するための塗料を供給するための塗料供給手段と、回転することにより塗料供給手段から供給される塗料が移される第１ロールと、回転することにより第１ロールから塗料が移される第２ロールであって、光学素子に塗料を転写するための第２ロールと、第１ロールと塗料供給手段の間隔を調整し第１ロールと第２ロールとの軸間隔を調整するための軸間調整装置と、を備える光学素子用塗料の塗布装置が記載されている。
【０００４】
ここで、反射防止塗料の塗布位置はレンズの形状によって多様である。即ち、レンズとしては、単純な形状のものの他、貼り合わせレンズ等、段差部や、面取り部等を備えるものがある。このため、レンズ外周部以外に、上述した箇所にも反射防止塗料を塗布する必要がある。即ち、反射防止塗料は、レンズ外周部の他、段差部、面取り部、レンズ研磨面（光学面）の外周縁のわずかな部分等にも塗布しなければならない。
【０００５】
このように多様な塗布箇所に対応して上述した自動塗布装置を使用することはできず、従来、このようなレンズの墨入れは、レンズを回転台（いわゆるロクロ）に配置して、反射防止塗料を含ませた筆を使用して、作業者の手作業で行われるのが実情である。
【先行技術文献】
【特許文献】
【０００６】
【特許文献１】特開平７−３０８６１４号公報
【発明の概要】
【発明が解決しようとする課題】
【０００７】
しかし、上述した手塗り作業で反射防止塗料を塗布するのは熟練を要する。また、手作業で塗布を行うため、塗り位置が被塗布位置から微妙にずれてしまい、大部分のレンズは塗布乾燥後に拭き取りによって修正を加える必要があり、修正のための余計な工数を要し、手間と時間を要した。
【０００８】
本発明は上述した課題に鑑みてなされたものであり、反射防止塗料を塗布する部位の形状が複雑なレンズであっても、反射防止塗料を精度よく連続的に行え、反射防止塗料の塗布を効率よく行うことができる反射防止塗料の塗布装置及び反射防止塗料の塗布方法を提供することを目的とする。
【課題を解決するための手段】
【０００９】
前記課題を解決する請求項１に記載の発明は、反射防止塗料を塗布すべきレンズが芯出しされて配置され、前記レンズを回転駆動する回転台と、前記反射防止塗料が溜められてされる塗料槽と、前記塗料槽に溜められた前記反射防止塗料に浸漬され前記反射防止塗料が含浸される塗料含浸部材と、前記塗料含浸部材が接触して、余剰な前記反射防止塗料が前記塗料含浸部材から拭い去られる接触部材と、前記塗料含浸部材を保持する保持部材と、前記保持部材を移動させる移動手段と、前記移動手段を制御して、前記保持部材を駆動し、前記塗料含浸部材を前記塗料槽に浸漬する動作、前記塗料含浸部材を前記接触部材に接触させる動作、及び前記塗料含浸部材を前記レンズの塗布面に沿って移動させる動作を順次実行させる制御手段と、を備えることを特徴とする。
【００１０】
本発明によれば、制御手段の制御に基づいて、移動手段は塗料含浸部材を保持した保持部剤を移動させて、塗料含浸部材を塗料槽に貯められた反射防止塗料に浸漬して反射防止塗料を塗料含浸部材に含浸させる。その後、移動手段は塗料含浸部材を接触部材に接触させて余剰の反射防止塗料を拭い去り、更に塗料含浸部材を回転台に配置されたレンズの塗布面に沿って移動させる。これにより、反射防止塗料を塗布する部位の形状が複雑なレンズであっても、反射防止塗料を精度よく連続的に行え、反射防止塗料の塗布を自動的に行うことができる。
【００１１】
同じく請求項２に記載の発明は、前記反射防止塗料を塗布すべき前記レンズの種別に前記反射防止塗料の塗布面の塗布パターンデータを複数格納した、塗布パターンデータ格納手段と、前記塗布パターンデータにおける特定位置を修正するポジション修正手段と、を備えることを特徴とする。
【００１２】
本発明によれば、レンズに反射防止塗料を塗布するに際して、予め塗布するレンズに対応する塗布面の塗布パターンを塗布パターンデータ格納手段から読み出し、更に読み出した塗布パターンの塗布位置を修正するポジション修正を行う。これにより、多種類のレンズに対応する多種類の塗布パターンを設定する際、簡単な処理で実際の塗布パターンを指定でき、簡単な手順で反射防止膜の塗布ができる。
【００１３】
同じく請求項３に記載の発明は、前記保持部材は、前記塗料含浸部材の位置を上下及び前記レンズの直径方向に微調整できるマイクロメーターヘッドを備えることを特徴とする。
【００１４】
本発明によれば、マイクロメーターヘッドを使用して、塗料含浸部材の位置を上下及びレンズの直径方向に微調整できる。このため、塗料含浸部材の変形や、塗布条件に起因する反射防止塗料塗布位置のずれを修正することができる。
【００１５】
同じく請求項４に記載の発明は、反射防止塗料を塗布すべきレンズが芯出しされて配置され、前記レンズを回転駆動する回転台と、前記反射防止塗料が溜められている塗料槽と、前記塗料槽に溜められた前記反射防止塗料に浸漬され前記反射防止塗料が含浸される塗料含浸部材と、前記塗料含浸部材が接触して、余剰な前記反射防止塗料が前記塗料含浸部材から拭い去られる接触部材と、前記塗料含浸部材を保持する保持部材と、前記保持部材を移動させる移動手段と、備える装置を使用した反射防止塗料の塗布方法であって、前記保持部材を駆動し、前記塗料含浸部材を前記塗料槽に浸漬するステップと、前記塗料含浸部材を前記接触部材に接触させるステップと、前記塗料含浸部材を前記レンズの塗布面に沿って移動させるステップと、を備えることを特徴とする。
【００１６】
本発明によれば、塗料含浸部材を保持した保持部剤を移動させて、塗料含浸部材を塗料槽に貯められた反射防止塗料に浸漬して反射防止塗料を塗料含浸部材に含浸させ、その後、塗料含浸部材を接触部材に接触させて余剰の反射防止塗料を拭い去り、更に塗料含浸部材を回転台に配置されたレンズの塗布面に沿って移動させる。これにより、反射防止塗料を塗布する部位の形状が複雑なレンズであっても、反射防止塗料を精度よく連続的に行え、反射防止塗料の塗布を自動的に行うことができる。
【００１７】
同じく請求項５に記載の発明は、前記反射防止塗料を塗布すべき前記レンズの種別に複数格納された前記反射防止塗料の塗布面の塗布パターンデータから所定の塗布パターンデータを取得するステップと、取得した前記塗布パターンデータにおける特定位置のポジション修正をするステップと、を備えることを特徴とする。
【００１８】
本発明によれば、レンズに反射防止塗料を塗布するに際して、予め塗布するレンズに対応する塗布面の塗布パターンを読み出し、更に読み出した塗布パターンの塗布位置を修正するポジション修正を行う。これにより、多種類のレンズに対応する多種類の塗布パターンを設定する際、簡単な処理で実際の塗布パターンを指定でき、簡単な手順で反射防止膜の塗布ができる。
【００１９】
同じく請求項６に記載の発明は、前記反射防止塗料を塗布すべき前記レンズの種別に複数格納された前記反射防止塗料の塗布面の塗布パターンデータから所定の塗布パターンデータを取得するステップと、取得した前記塗布パターンデータにおける特定位置のポジション修正をするステップと、を備えることを特徴とする。
【００２０】
本発明によれば、塗料含浸部材の位置を上下及びレンズの直径方向に微調整する。このため、塗料含浸部材の変形や、塗布条件に起因する反射防止塗料塗布位置のずれを修正して正確な反射防止塗料の塗布を行うことができる。
【発明の効果】
【００２１】
本発明によれば、反射防止塗料を塗布する部位の形状が複雑なレンズであっても、反射防止塗料を精度よく連続的に行え、反射防止塗料の塗布を自動的に行える。
【００２２】
即ち、請求項１及び請求項４に記載の発明によれば、塗料含浸部材を保持した保持部剤を移動させて、塗料含浸部材を塗料槽に溜められた反射防止塗料に浸漬して反射防止塗料を塗料含浸部材に含浸させ、その後、塗料含浸部材を接触部材に接触させて余剰の反射防止塗料を拭い去り、更に塗料含浸部材を回転台に配置されたレンズの塗布面に沿って移動させるので、反射防止塗料を塗布する部位の形状が複雑なレンズであっても、反射防止塗料を精度よく連続的に行え、反射防止塗料の塗布を自動的に行うことができる。
【００２３】
請求項２及び請求項５に記載の発明によれば、予め塗布するレンズに対応する塗布面の塗布パターンを読み出し、更に読み出した塗布パターンの塗布位置を修正するポジション修正を行うので、多種類のレンズに対応する多種類の塗布パターンを設定する際、簡単な処理で実際の塗布パターンを指定でき、簡単な手順で反射防止膜の塗布ができる。
【００２４】
請求項３及び請求項６に記載の発明によれば、塗料含浸部材の位置を上下及びレンズの直径方向に微調整するので、塗料含浸部材の変形や、塗布条件に起因する反射防止塗料塗布位置のずれを修正して正確な反射防止塗料の塗布を行うことができる。
【図面の簡単な説明】
【００２５】
【図１】本発明の実施形態に係る反射防止塗料の塗布装置を示すものであり、（ａ）は全体構成を示す図、（ｂ）は塗料含浸部材を示す図である。
【図２】同反射防止塗料の塗布装置のマイクロメーターヘッドを示すものであり、（ａ）は正面図、（ｂ）は平面図、（ｃ）は側面図である。
【図３】同反射防止塗料の塗布装置における反射防止塗料の塗布パターンを示す図である。
【図４】同反射防止塗料の塗布装置の動作を示すフローチャートである。
【図５】同反射防止塗料の塗布装置の動作を示す模式図である。
【発明を実施するための形態】
【００２６】
本発明を実施するための形態に係る反射防止塗料の塗布装置及び反射防止塗料の塗布方法について説明する。
【００２７】
以下、発明の実施形態に係る反射防止塗料の塗布装置について説明する。図１は本発明の実施形態に係る反射防止塗料の塗布装置を示すものであり、（ａ）は全体構成を示す図、（ｂ）は塗料含浸部材を示す図である。本実施形態に係る反射防止塗料の塗布装置１００（以下単に塗布装置１００という）を使用して、回転台２１０に配置され回転駆動されるレンズ１０の予め定められた面に反射防止塗料を自動的に塗布するものである。
【００２８】
塗布装置１００は、図１（ａ）に示すように、塗料含浸部材１１０と、保持部材１２０と、マイクロメーターヘッド部１３０と、移動手段である単軸ロボット１４０と、制御手段であるコントローラ１５０と、塗布パターンデータ格納手段である塗布パターンデータベース１６０と、入力手段１７０と、表示手段１８０と、接触部材１９０と、塗料槽２００と、レンズ１０を保持回転する回転台２１０と、各部材を載置したベース部材２２０とを備える。
【００２９】
塗料含浸部材１１０は、図１（ｂ）に示すように、合成樹脂製の連続発泡体であるスポンジを直方体に切り出して形成され、適宜面取りをして作成される。塗料含浸部材１１０には、液体の反射防止塗料が含浸される。反射防止塗料は、例えば市販の光学用水性黒色塗料が使用される。
【００３０】
保持部材１２０は、塗料含浸部材１１０を挟んで保持するピンセットで構成される。塗料含浸部材１１０は、保持部材１２０で保持されることにより、図１（ｂ）に示すように変形する。保持部材１２０は、マイクロメーターヘッド部１３０を介して単軸ロボット１４０の駆動腕１４１に取付けられている。
【００３１】
図２は同反射防止塗料の塗布装置のマイクロメーターヘッドを示すものであり、（ａ）は正面図、（ｂ）は平面図、（ｃ）は側面図である。マイクロメーターヘッド部１３０は、Ｘ方向に配置されたマイクロメーターヘッド１３１と、Ｚ方向に配置されたマイクロメーターヘッド１３２とを備える。各マイクロメーターヘッド１３１、１３２は、公知のものである。本実施形態では、塗料含浸部材の位置をマイクロメーターヘッド部１３０で、上下及びレンズの直径方向に微調整できる。このため、塗料含浸部材１１０の変形や、塗布条件に起因する反射防止塗料塗布位置のずれを修正して正確な反射防止塗料の塗布を行うことができる。
【００３２】
単軸ロボット１４０は、駆動腕１４１を上述したＸ方向と、Ｚ方向に駆動する。単軸ロボット１４０は、電動であり、コントローラ１５０で駆動が制御される。
【００３３】
コントローラ１５０は、塗布パターンデータベース１６０と、入力手段１７０と、表示手段１８０とに接続されている。入力手段１７０から反射防止塗料を塗布するレンズ１０の塗布パターンを選択すると、塗布パターンデータベース１６０からレンズ１０の種類に対応する塗装パターンデータを取得できる。
【００３４】
塗布パターンデータベース１６０は、塗装パターンデータを複数格納している。図３は同反射防止塗料の塗布装置において塗布パターンデータベースが格納した反射防止塗料の塗布パターンを示す図である。この例では、塗布パターンデータベース１６０には、「ＴｙｐｅＡ」から「ＴｙｐｅＧ」までの７つの塗布パターデータが格納されている。
【００３５】
ここで各塗布パターンデータは以下のものである。
「ＴｙｐｅＡ」：段部が形成されない２枚の光学板材の周面と、面取り部に反射防止塗料を塗布する。
「ＴｙｐｅＢ」：段部が形成された２枚の光学板材の周面と、段部と、面取り部に反射防止塗料を塗布「ＴｙｐｅＣ」：段部が形成された凹レンズと光学板材の周面と、段部と、面取り部に反射防止塗料を塗布
「ＴｙｐｅＤ」：段部が形成されない凹レンズと光学板材の周面と、凹レンズの上面の外周部とに反射防止塗料を塗布
「ＴｙｐｅＥ」：段部が形成されない凹レンズと光学板材のうち、凹レンズの周面と、面取り部とに反射防止塗料を塗布「ＴｙｐｅＦ」：段部が形成されない凹レンズと光学板材の周面と、面取り部とに反射防止塗料を塗布
「ＴｙｐｅＧ」：段部が形成されない２枚の合せレンズの周面と、面取り部に反射防止塗料を塗布
なお、各ＴＹＰＥの他に所望の塗布面を備える塗布パターンデータを生成して格納しておくことができる。また、各Ｔｙｐｅの塗布パターンデータは、光学平板に代えて、接合面以外の下面や上面が凹面、凸面としたレンズとしたものに適用できる。
【００３６】
入力手段１７０から実際のレンズ１０の塗装パターンに近い、一つの塗布パターンデータを選択し、取得した塗布パターンデータをポジション修正手段としての入力手段１７０によりポジション修正する。このポジション修正では、取得した塗布パターンデータの特定位置、例えば始点、終点、屈曲点等の各位置の修正を行うことができる。これにより、一つの塗布パターンデータを異なる厚さや寸法のレンズに適用できる。また、入力手段１７０から、塗料含浸部材１１０の各位置における停止時間、移動速度等を指定することができる。これにより、塗布速度を変更することができる。これらの指定により、複数種類のレンズ別に対応した塗布パターンデータを生成できる。
【００３７】
入力手段１７０は、キーボード、マウス等で構成される。入力手段１７０からは、オペレーターが反射防止塗料を塗布する対象のレンズ種別の入力、塗布パターンデータの指定、ポジション修正の入力、処理の開始指示の入力等を行う。
【００３８】
表示手段１８０は、液晶表示装置等で構成される。表示手段１８０には、対象のレンズ種別の入力時、塗布パターンデータの指定時、ポジション修正の入力時に必要な表示がなされる。
【００３９】
接触部材１９０は、例えばステンレススチール製の球体であり、塗料含浸部材１１０が接触して、余剰な反射防止塗料を塗料含浸部材から拭い去る。これにより、余分な反射防止塗料が除去される。塗料槽２００には、反射防止塗料が溜められており、塗料含浸部材１１０が浸漬されることにより、塗料含浸部材１１０に反射防止塗料が含浸される。なお、接触部材１９０は、塗料槽２００の上部に配置され、拭い去られた反射防止塗料は塗料槽２００に滴下する。
【００４０】
回転台２１０は、載置されたレンズ１０を吸引して固定する吸引台２１１と、レンズ１０を芯出しする芯出し具２１２とを備え、吸引台２１１上のレンズ１０を回転駆動する。吸引台２１１には、吸引装置が配置される。また、芯出し具２１２は、レンズ１０側２つの斜面を備えたＶ字状の切込みを備え、「ヤゲン」と称される装置である。切込み部の２つの斜面の間にレンズを配置してレンズ１０を移動させて、回転台２１０の吸引台２１１上にレンズ１０を芯出しして配置する。この吸引台２１１及び芯出し具２１２は公知である。なお、入力手段１７０からレンズの種別を入力することで、芯出し具２１２の動作を制御し、芯出しを自動的に行わせることができる。
【００４１】
次に塗布装置１００の動作について説明する。図４は同反射防止塗料の塗布装置の動作を示すフローチャート、図５は同反射防止塗料の塗布装置の動作を示す模式図である。塗布装置１００でレンズ１０に反射防止塗料を塗布するには、先ず、レンズ１０を回転台２１０に設置する（ステップＳ１）。このとき芯出し具２１２によって芯出ししたレンズ１０を吸引台２１１で吸引して固定する。
【００４２】
次いで、オペレーターは、入力手段１７０からレンズ種別に対応する塗装パターンを選択し（ステップＳ２）、塗布パターンデータベース１６０から所定の塗装パターンデータを取得する（ステップＳ３）。次いで、入力手段１７０から、実際のレンズ１０に適合するように、塗装パターンデータの特定位置、例えば始点、終点、屈曲点等の各位置の修正、各位置における停止時間、移動速度等を修正する（ステップＳ４）。
【００４３】
そして、入力手段１７０からの指示で、単軸ロボット１４０を動作させ、１１０を初期位置に配置する（ステップＳ５）。次いで、コントローラ１５０は、単軸ロボット１４０の駆動腕１４１を下降（Ｚ−方向に移動）させて、塗料含浸部材１１０を塗料槽２００内に溜められた反射防止塗料に漬ける含浸動作を行う（ステップＳ６）。これにより塗料含浸部材１１０に反射防止塗料が含浸される。
【００４４】
次に、コントローラ１５０は、単軸ロボット１４０の駆動腕１４１を上昇（Ｚ＋方向に移動）させ、塗料含浸部材１１０の下側面が接触部材１９０に接触する高さになったら、塗料含浸部材１１０をレンズ１０側（Ｘ方向＋側）に移動させ、塗料含浸部材１１０の下面を接触部材１９０に接触させる。そして、塗料含浸部材１１０を接触部材１９０に接触させたまま往復動させ、余剰塗料の払い去り動作を行う（ステップＳ７）。これにより、余剰な反射防止塗料が塗料含浸部材１１０から除去され、反射防止塗料の垂れや、レンズ１０への過剰塗布が防止される。
【００４５】
そして、コントローラ１５０は、単軸ロボット１４０の駆動腕１４１をレンズ側に移動させつつ下降させ、塗料含浸部材１１０をレンズ１０の塗布開始位置まで移動させる（ステップＳ８）。次いで、単軸ロボット１４０は、駆動腕１４１を修正した塗布パターンデータに基づいてレンズ１０の塗布面に反射防止塗料を塗布する（ステップＳ９）。そして、塗布が終了したら、コントローラ１５０は、単軸ロボット１４０の駆動腕１４１を駆動して塗料含浸部材１１０を初期位置に戻す（ステップＳ１０）。
【００４６】
その後、オペレーターは、反射防止塗料を塗布したレンズ１０を回転台２１０から取り外し、芯出し具２１２を用いて回転台２１０に新たなレンズ１０を配置し、同じ動作を繰り返す。このとき、同一のレンズに塗布を行うときには、ステップＳ２からステップＳ５までは省略できる。
【００４７】
また、塗料含浸部材１１０の変形や、塗布条件に起因する反射防止塗料塗布位置のずれが生じるときには、塗料含浸部材１１０の位置をマイクロメーターヘッド部１３０のマイクロメーターヘッド１３１、１３２を調整して、塗料含浸部材１１０を上下及びレンズの直径方向に微調整する。これにより正確な反射防止塗料の塗布を行うことができる。
【００４８】
以上説明したように、本実施形態に係る塗布装置１００によれば、塗料含浸部材を保持した保持部剤を移動させて、塗料含浸部材を塗料槽に溜められた反射防止塗料に浸漬して反射防止塗料を塗料含浸部材に含浸させ、その後、塗料含浸部材を接触部材に接触させて余剰の反射防止塗料を拭い去り、更に塗料含浸部材を回転台に配置されたレンズの塗布面に沿って移動させるので、反射防止塗料を塗布する部位の形状が複雑なレンズであっても、反射防止塗料を精度よく連続的に行え、反射防止塗料の塗布を自動的に行うことができる。
【００４９】
また、本実施形態に係る塗布装置１００によれば、予め塗布するレンズに対応する塗布面の塗布パターンを読み出し、更に読み出した塗布パターンの塗布位置を修正するポジション修正を行うので、多種類のレンズに対応する多種類の塗布パターンを設定する際、簡単な処理で実際の塗布パターンを指定でき、簡単な手順で反射防止膜の塗布ができる。
【００５０】
更に本実施形態に係る塗布装置１００によれば、塗料含浸部材の位置を上下及びレンズの直径方向に微調整するので、塗料含浸部材の変形や、塗布条件に起因する反射防止塗料塗布位置のずれを修正して正確な反射防止塗料の塗布を行うことができる。
【００５１】
なお、本実施形態に係る塗布装置により塗布されたレンズ群は、トータルステーション、セオドライト、スキャナなどの測量機械や、スリットランプ，手術用顕微鏡などの検眼機器、医療機械、各種産業界で使われている検査，計測，誘導，認識を目的とするマシンビジョン用レンズ，セキュリティ用カメラに併用される対物レンズなど様々な光学系に用いられる。
【符号の説明】
【００５２】
１０：レンズ
１００：塗布装置
１１０：塗料含浸部材
１２０：保持部材
１３０：マイクロメーターヘッド部
１３１、１３２：マイクロメーターヘッド
１４０：単軸ロボット（駆動手段）
１４１：駆動腕
１５０：コントローラ（制御手段）
１６０：塗布パターンデータベース（塗装パターンデータ格納部）
１７０：入力手段（ポジション修正手段）
１８０：表示手段
１９０：接触部材
２００：塗料槽
２１０：回転台
２１１：吸引台
２１２：芯合せ具
２２０：ベース部材
【図１】
2017154077.tif 000003
【図２】
2017154077.tif 000004
【図３】
2017154077.tif 000005
【図４】
2017154077.tif 000006
【図５】
2017154077.tif 000007